(57)【要約】【課題】患者や患者の世話をする者にとって使用しやすい形状であり、使い捨て可能な吐物用容器を提供する。【解決手段】上端側の開口部より吐瀉物やうがい等の吐物を受ける紙製の吐物用容器１であって、上端側に配される開口部と、吐物用容器１の内側に突出する第一凸部１１１と、第一凸部１１１に使用者の親指をかけた際に、人差し指、中指、薬指及び小指の少なくともいずれか一がかかる位置に配され、吐物用容器の内側に突出する第二凸部１１２とを有し、下端側に対して上端側が外側に広がるよう傾斜する側面部１１と、側面部１１の下端側から内周側に連設された底面部１２と、側面部１１の上端側から外周側に連設され、第一凸部１１１の近傍が使用者の頭部の形状に沿うように湾曲している縁部１３とを備える。【選択図】図１
0003231598.tif 000002
【実用新案登録請求の範囲】
【請求項１】
上端側の開口部より吐瀉物やうがい等の吐物を受ける紙製の吐物用容器であって、
上端側に配される前記開口部と、前記吐物用容器の内側に突出する第一凹部と、前記第一凹部に使用者の親指をかけた際に、人差し指、中指、薬指及び小指の少なくともいずれか一がかかる位置に配され、前記吐物用容器の内側に突出する第二凸部とを有し、下端側に対して上端側が外側に広がるよう傾斜する側面部と、
前記側面部の下端側から内周側に連設された底面部と、
前記側面部の上端側から外周側に連設され、前記第一凸部の近傍が使用者の頭部の形状に沿うように湾曲している縁部と、
を備える吐物用容器。
【請求項２】
請求項１に記載の吐物用容器であって、
前記側面部の前記第一凹部と前記第二凹部との間の範囲と連設される前記縁部の範囲の幅が、使用者の手の厚さ方向の幅よりも広いことを特徴とする吐物用容器。
【請求項３】
請求項１又は請求項２に記載の吐物用容器であって、
前記底面部が、前記吐物用容器の内側に突出する第三凸部を有する吐物用容器。
【請求項４】
請求項１〜３のいずれか一に記載の吐物用容器であって、
前記紙が古紙であることを特徴とする吐物用容器。
【考案の詳細な説明】
【技術分野】
【０００１】
本考案は、吐瀉物やうがい等の吐物を受け、使用後はマセレーターによって前記吐物と共に処理される紙製の吐物用容器に関する。
【背景技術】
【０００２】
現在、日本国内の病院において、患者の汚物の処理にはプラスチック製の汚物用容器が用いられることが多い。使用後の汚物用容器は、ベッドパンウォッシャー用いて、又は、手洗いで洗浄した後、再利用される。しかしながら、この方法は、洗い残しによる感染症のおそれがあることや、手洗いの場合、手洗いを行う者の負担が大きいことが問題となっていた。また、洗浄されているとはいえ、他人が使用した汚物用容器を使用することに抵抗を感じる患者も多い。
【０００３】
このような状況に鑑みて、従来から、使い捨ての汚物用容器が開発されている。例えば特許文献１では、新聞、雑誌等のリサイクル古紙で作られる汚物用容器の技術が開示されている。この技術によれば、使用後の汚物用容器は破砕機（マセレーター）を用いて破砕し、下水道等に放出処理して廃棄できる。
【先行技術文献】
【特許文献】
【０００４】
【特許文献１】登録実用新案第３０６０３７９号公報
【考案の概要】
【考案が解決しようとする課題】
【０００５】
しかしながら、従来の使い捨ての汚物用容器は、単純な形状のものが多く、患者や患者の世話をする者にとって使用しやすい形状とはいえなかった。特に、吐物用容器は、患者又は患者の世話をする者が両手で把持して使用するものであるため、使用しにくい（把持しにくい）形状であると吐物をこぼしてしまう虞がある。すなわち、吐物用容器において、その形状が支えやすい形状であるか否かは非常に重要な課題といえる。
【０００６】
本考案は、前記事情に鑑みてなされたものであり、患者や患者の世話をする者にとって使用しやすい形状であり、使い捨て可能な吐物用容器を提供することにある。
【課題を解決するための手段】
【０００７】
本考案の第１の側面に係る吐物用容器は、上端側の開口部より吐瀉物やうがい等の吐物を受ける紙製の吐物用容器であって、上端側に配される前記開口部と、前記吐物用容器の内側に突出する第一凹部と、前記第一凹部に使用者の親指をかけた際に、人差し指、中指、薬指及び小指の少なくともいずれか一がかかる位置に配され、前記吐物用容器の内側に突出する第二凸部とを有し、下端側に対して上端側が外側に広がるよう傾斜する側面部と、前記側面部の下端側から内周側に連設された底面部と、前記側面部の上端側から外周側に連設され、前記第一凸部の近傍が使用者の頭部の形状に沿うように湾曲している縁部とを備えることができる。前記構成によれば、使用者は、第一凸部及び第二凸部に指をかけてしっかりと把持することができ、例えば、吐物用容器を使用している際に手を滑らせるなどして吐物をこぼすということを防ぐことができる。また、側面部は、下端側に対して上端側が外側に広がるよう傾斜しており、側面部にかかった吐物を底面部に集めることができる。さらにまた、縁部が使用者の頭部の形状に湾曲していることにより、吐物を吐き出す人の頭部と吐物用容器を密着させることができ、吐物用容器の使用時に周囲が汚れるのを防ぐことができる。
【０００８】
また、本考案の第２の側面に係る吐物用容器は、前記側面部の前記第一凹部と前記第二凹部との間の範囲と連設される前記縁部の範囲の幅が、使用者の手の厚さ方向の幅よりも広くなるよう構成できる。前記構成によれば、把持者が吐物用容器を把持した際に、把持者の手が配される範囲と連設される範囲の縁部の幅が、使用者の手の厚さ方向の幅よりも広くなるよう構成されているので、病気やケガ等により握力が低下し、第一凸部及び第二凸部に指をかけても吐物用容器をしっかりと把持することができない人であっても、手に縁部を引っ掛けることで吐物用容器を把持することができる。
【０００９】
さらにまた、本考案の第３の側面に係る吐物用容器は、前記底面部が、前記吐物用容器の内側に突出する第三凸部を有することができる。前記構成によれば、第三凸部の側面に当たった吐物は下端側に跳ね返るので、吐物が側面部を越えて跳ね返り、周囲に飛び散る可能性を低くすることができる。
【００１０】
さらにまた、本考案の第３の側面に係る吐物用容器は、古紙から製造することができる。
【図面の簡単な説明】
【００１１】
【図１】本考案の一実施の形態に係る吐物用容器の斜視図である。
【図２】本考案の一実施の形態に係る吐物用容器の平面図である。
【図３】本考案の一実施の形態に係る吐物用容器の背面図である。
【図４】本考案の一実施の形態に係る吐物用容器の平面図である。
【図５】本考案の一実施の形態に係る吐物用容器の右側面図である。
【図６】吐物用容器を把持した状態を示す模式図である。
【図７】吐物の跳ね返り方を説明するための模式図である。
【考案を実施するための形態】
【００１２】
以下、本考案の実施の形態を図面に基づいて説明する。ただし、以下に示す実施の形態は、本考案の技術思想を具体化するための例示するものであって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。
（吐物用容器１）
【００１３】
本考案の一実施の形態に係る吐物用容器１について図１〜図７に基づいて説明する。
【００１４】
吐物用容器１は平面視（図４）において、略角丸の長方形を長辺方向に湾曲させた形状（以下、「ソラマメ形状」と称す。）の紙製の容器であって、水に触れてから約４〜８時間後に分解が始まるような耐水加工が施されている。吐物用容器１は、前述のとおり紙製の容器であるので、使用後は、マセレーターによって前記吐物と共に処理する、又は、吐物を別途処理した後に通常の可燃ごみとして処理することができる。なお、材料（紙の種類）は特に限定されないが、新聞の古紙とコピー用紙等上質紙の損紙とを重量比で７：３〜８：２の割合で混合してなる再生紙等を用いることができる。
【００１５】
また、吐物用容器１は、図１〜図５に示すように、側面部１１、底面部１２及び縁部１３とで構成される。側面部１１は第一凸部１１１及び２つの第二凸部１１２を有し、底面部１２は第三凸部１２１を有している。各部について以下で説明する。
（側面部１１）
【００１６】
側面部１１は、図１〜図５に示すように、下端側が底面部１２の外周を取り囲むように配される部材であって、上端側が容器の開口部を形成する。側面部１１は、下端側に対して上端側が外側に広がるよう傾斜しており側面部１１にかかった吐物が流れて底面部１２に集まるよう構成されている。また、側面部１１は、第一凸部１１１と第二凸部１１２とを有している。
［第一凸部１１１］
【００１７】
第一凸部１１１は、図１及び図４に示すように、吐物用容器１の内側に突出する部分（ソラマメ形状において内側に突出する部分）である。患者又は患者の世話をする者等の吐物用容器１を使用する際に吐物用容器１を把持する者（特許請求の範囲における「使用者」の一例に対応する。以下、「把持者」と称す。）は、図６に示すように、吐物用容器１を把持する際、両手の親指をかけることができる。
［第二凸部１１２］
【００１８】
第二凸部１１２は、図１及び図４に示すように、吐物用容器１の内側に突出する部分である。また、第二凸部１１２は、ソラマメ形状において外側に突出する側に、且つ、第一凸部１１１に手の大きさが平均的な人が親指をかけた際に、人差し指、中指、薬指及び小指がかかる位置に設けられ、把持者は、図６に示すように、吐物用容器１を把持する際、人差し指、中指、薬指及び小指をかけることができる。さらにまた、第二凸部１１２は、図３に示すように、略三角形状であり、吐物用容器１は２つの第二凸部１１２を有する。
【００１９】
以上、説明したように、側面部１１は第一凸部１１１及び第二凸部１１２を備え、把持者が吐物用容器１に指をかけてしっかりと把持することができる形状となっている。すなわち、吐物用容器１は把持しやすい形状であり、例えば、吐物用容器１を使用している際に手を滑らせるなどして吐物をこぼすということを防ぐことができる。
【００２０】
なお、側面部１１、第一凸部１１１及び第二凸部１１２は前述の態様に限定されず、例えば、側面部１１、第一凸部１１１及び第二凸部１１２の形状、並びに、第一凸部１１１及び第二凸部１１２の数や位置等は適宜変更が可能である。
（底面部１２）
【００２１】
底面部１２は、図１〜図５に示すように、側面部１１の下端側から内周側に連設される部材であって、吐物用容器１が受けた吐物が最終的に集まる部材である。また、底面部１２は第三凸部１２１を有している。
［第三凸部１２１］
【００２２】
第三凸部１２１は、図１及び図４に示すように、吐物用容器１の内側に突出する部分である。これにより、吐物の跳ね返りを抑え、吐物用容器１の使用時に周囲が汚れるのを防ぐことができる。具体的には図７に示すように、第三凸部１２１を設けなかった場合（図７中左側）と第三凸部１２１を設けた場合（図７中右側）とでは、吐物の跳ね返り方向が変わる。すなわち、吐き出された吐物が第三凸部１２１の側面に当たった場合、吐物は下端側に跳ね返るので、吐物が側面部１１を越えて跳ね返り、周囲に飛び散る可能性を低くすることができる。
【００２３】
なお、底面部１２及び第三凸部１２１の態様は前述のものに限定されず、底面部１２及び第三凸部１２１の形状、並びに、第三凸部１２１の数や位置等は適宜変更が可能である。さらにいえば、第三凸部１２１は必ずしも設ける必要はない。例えば、吐物用容器１を側面部１１が高い態様にした場合、そもそも吐物が側面部１１を越えて跳ね返る可能性が低いので第三凸部１２１を設ける必要性は低い。
（縁部１３）
【００２４】
縁部１３は、図１〜図５に示すように、側面部１１の上端側から外周側に連設される部材であって、第一凸部１１１の近傍が、平均的な人の頭部の形状に沿うように湾曲している。これにより、吐物を吐き出す人の頭部と吐物用容器１を密着させることができるので、吐物用容器１の使用時に周囲が汚れるのを防ぐことができる。
【００２５】
また、縁部１３は、図６に示すように、把持者が吐物用容器１を把持した際に、把持者の手が配される範囲（第一凸部１１１と第二凸部１１２との間の範囲）と連設される範囲の幅が、手の大きさが平均的な人の手の厚さ方向の幅よりも広くなるよう構成されている。これにより、病気やケガ等により握力が低下し、第一凸部１１１及び第二凸部１１２に指をかけても吐物用容器１をしっかりと把持することができない人であっても、手に縁部１３を引っ掛けることで吐物用容器１を把持することができる。
【００２６】
なお、縁部１３の態様は前述のものに限定されず、形状等は適宜変更が可能である。また、前述及び特許請求の範囲における「頭部の形状」とは、一義的に決まるものではなく、例えば、「唇と顎の間の形状」や「顎からこめかみにかけての形状」等、人の頭部における一部の形状であればよい。特に、前述の「唇と顎の間の形状」に沿った態様であれば、吐物を吐き出す人が身体を起こした状態での使用に適しており、「顎からこめかみにかけての形状」に沿った態様であれば、吐物を吐き出す人が横たわった状態での使用に適している。さらにまた、前述及び特許請求の範囲における「頭部の形状に沿う」とは、頭部の形状と縁部１３の外縁部の形状が完全に一致していることのみを意味するものではない。吐物用容器１は紙製の容器であるので、容器の弾性を考慮したうえで、吐物を吐き出す人の頭部と吐物用容器１を密着させることができる形状であればよい。
【００２７】
以上説明したように、本考案の一実施の形態に係る吐物用容器１は、患者や患者の世話をする者にとって使用しやすい形状であり、使い捨て可能な吐物用容器である。
【符号の説明】
【００２８】
１…吐物用容器
１１…側面部
１１１…第一凸部；１１２…第二凸部
１２…底面部
１２１…第三凸部
１３…縁部
【図１】
0003231598.tif 000003
【図２】
0003231598.tif 000004
【図３】
0003231598.tif 000005
【図４】
0003231598.tif 000006
【図５】
0003231598.tif 000007
【図６】
0003231598.tif 000008
【図７】
0003231598.tif 000009
【手続補正書】
【提出日】令和3年2月5日(2021.2.5)
【手続補正１】
【補正対象書類名】実用新案登録請求の範囲
【補正対象項目名】全文
【補正方法】変更
【補正の内容】
【実用新案登録請求の範囲】
【請求項１】
上端側の開口部より吐瀉物やうがい等の吐物を受ける紙製の吐物用容器であって、  上端側に配される前記開口部と、前記吐物用容器の内側に突出する第一凸部と、前記第一凸部に使用者の親指をかけた際に、人差し指、中指、薬指及び小指の少なくともいずれか一がかかる位置に配され、前記吐物用容器の内側に突出する第二凸部とを有し、下端側に対して上端側が外側に広がるよう傾斜する側面部と、  前記側面部の下端側から内周側に連設された底面部と、  前記側面部の上端側から外周側に連設され、前記第一凸部の近傍が使用者の頭部の形状に沿うように湾曲している縁部と、を備える吐物用容器。
【請求項２】
請求項１に記載の吐物用容器であって、  前記側面部の前記第一凸部と前記第二凸部との間の範囲と連設される前記縁部の範囲の幅が、使用者の手の厚さ方向の幅よりも広いことを特徴とする吐物用容器。
【請求項３】
請求項１又は請求項２に記載の吐物用容器であって、  前記底面部が、前記吐物用容器の内側に突出する第三凸部を有する吐物用容器。
【請求項４】
請求項１〜３のいずれか一に記載の吐物用容器であって、 古紙からなることを特徴とする吐物用容器。
【手続補正２】
【補正対象書類名】明細書
【補正対象項目名】０００７
【補正方法】変更
【補正の内容】
【０００７】  本考案の第１の側面に係る吐物用容器は、上端側の開口部より吐瀉物やうがい等の吐物を受ける紙製の吐物用容器であって、上端側に配される前記開口部と、前記吐物用容器の内側に突出する第一凸部と、前記第一凸部に使用者の親指をかけた際に、人差し指、中指、薬指及び小指の少なくともいずれか一がかかる位置に配され、前記吐物用容器の内側に突出する第二凸部とを有し、下端側に対して上端側が外側に広がるよう傾斜する側面部と、前記側面部の下端側から内周側に連設された底面部と、前記側面部の上端側から外周側に連設され、前記第一凸部の近傍が使用者の頭部の形状に沿うように湾曲している縁部とを備えることができる。前記構成によれば、使用者は、第一凸部及び第二凸部に指をかけてしっかりと把持することができ、例えば、吐物用容器を使用している際に手を滑らせるなどして吐物をこぼすということを防ぐことができる。また、側面部は、下端側に対して上端側が外側に広がるよう傾斜しており、側面部にかかった吐物を底面部に集めることができる。さらにまた、縁部が使用者の頭部の形状に湾曲していることにより、吐物を吐き出す人の頭部と吐物用容器を密着させることができ、吐物用容器の使用時に周囲が汚れるのを防ぐことができる。
【手続補正３】
【補正対象書類名】明細書
【補正対象項目名】０００８
【補正方法】変更
【補正の内容】
【０００８】  また、本考案の第２の側面に係る吐物用容器は、前記側面部の前記第一凸部と前記第二凸部との間の範囲と連設される前記縁部の範囲の幅が、使用者の手の厚さ方向の幅よりも広くなるよう構成できる。前記構成によれば、把持者が吐物用容器を把持した際に、把持者の手が配される範囲と連設される範囲の縁部の幅が、使用者の手の厚さ方向の幅よりも広くなるよう構成されているので、病気やケガ等により握力が低下し、第一凸部及び第二凸部に指をかけても吐物用容器をしっかりと把持することができない人であっても、手に縁部を引っ掛けることで吐物用容器を把持することができる。
【手続補正４】
【補正対象書類名】明細書
【補正対象項目名】００１０
【補正方法】変更
【補正の内容】
【００１０】  さらにまた、本考案の第４の側面に係る吐物用容器は、古紙から製造することができる。